【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
内筒（12）と、該内筒を軸平行に取り囲む外筒（14）と、前記内筒と外筒の間に介在するゴム状弾性体からなる防振基体（16）と、前記内筒と外筒の間に位置する中間筒（32）と、前記内筒を挟んで位置する第１液室（18）及び第２液室（20）と、前記第１液室と第２液室を連通させる主オリフィス（22）と、第１ゴム弁（24）を介して前記第１液室側から第２液室側にだけ液体を流通させる第１副オリフィス（26）と、第２ゴム弁（28）を介して前記第２液室側から第１液室側にだけ液体を流通させる第２副オリフィス（30）と、を備え、
前記中間筒（32）は、前記外筒が嵌合する軸方向両端部側の一対のリング状の嵌合周壁（34,36）と、前記内筒を挟んで位置するとともに前記嵌合周壁よりも径方向内方側に位置して前記一対の嵌合周壁同士を連結する一対の連結壁（38,40）とを備え、
前記防振基体（16）は、前記一対の連結壁の内側面（38A,40A）と当該内側面に対向する前記内筒の外周面（12A）とを結合して、前記第１液室と第２液室とを周方向に区画しており、
前記一対の嵌合周壁と前記内筒との間にゴム状弾性体からなる端部壁（42,42）が設けられて、該端部壁が前記第１液室と第２液室の軸方向端部での室壁を形成し、
一方の前記連結壁の外面（38B）側に前記外筒の内周面に圧接する第１オリフィス形成部（44）が設けられ、他方の前記連結壁の外面（40B）側に前記外筒の内周面に圧接する第２オリフィス形成部（46）が設けられ、
前記第１オリフィス形成部と前記第２オリフィス形成部の少なくとも一方に周方向に延びる第１副オリフィス溝（50）が設けられて、該第１副オリフィス溝と前記外筒の内周面との間で前記第１副オリフィス（26）が形成されるとともに、前記第１副オリフィス溝（50）にゴム膜状の前記第１ゴム弁（24）が設けられて、前記第１ゴム弁の頂部（24A）が前記外筒の内周面（14A）に圧接するように構成され、
前記第１オリフィス形成部と前記第２オリフィス形成部の少なくとも一方に周方向に延びる第２副オリフィス溝（56）が設けられて、該第２副オリフィス溝と前記外筒の内周面との間で前記第２副オリフィス（30）が形成されるとともに、前記第２副オリフィス溝（56）にゴム膜状の前記第２ゴム弁（28）が設けられて、前記第２ゴム弁の頂部（28A）が前記外筒の内周面（14A）に圧接するように構成され、
前記第１ゴム弁と第２ゴム弁の頂部に、前記外筒の内周面に圧接する断面円弧状の膨出部（52）が前記頂部の全幅にわたってそれぞれ形成され、
前記第１オリフィス形成部（44）には、軸方向中央部に周方向に延びる嵌合凹部（48）が設けられ、該嵌合凹部の両側の少なくとも一方側に前記第１副オリフィス溝（50）が設けられ、該第１副オリフィス溝に設けられた前記第１ゴム弁（24）の膨出部（52）の幅方向の一端部と、前記嵌合周壁の外周面に設けられた周方向に延びるゴム製の環状シールリップ（88）の側部とに連なるゴム製のシールリップ（90）が、前記第１オリフィス形成部の外周面に形成され、
前記第２オリフィス形成部（46）には、軸方向中央部に周方向に延びる嵌合凹部（54）が設けられ、該嵌合凹部の両側の少なくとも一方側に前記第２副オリフィス溝（56）が設けられ、該第２副オリフィス溝に設けられた前記第２ゴム弁（28）の膨出部（52）の幅方向の一端部と、前記嵌合周壁の外周面に設けられた周方向に延びるゴム製の環状シールリップ（88）の側部とに連なるゴム製のシールリップ（94）が、前記第２オリフィス形成部の外周面に形成された、
液封入式防振装置。
【請求項２】
前記第１オリフィス形成部（44）には、軸方向中央部に前記嵌合凹部（48）が設けられ、該嵌合凹部の両側に前記第１副オリフィス溝（50,50）が設けられ、
一方の前記第１副オリフィス溝に設けられた前記第１ゴム弁（24）の膨出部（52）の幅方向の一端部と、一方の嵌合周壁（34）の外周面に設けられた周方向に延びるゴム製の環状シールリップ（88）の側部とに連なるゴム製のシールリップ（90）が、前記第１オリフィス形成部の外周面に形成され、他方の前記第１副オリフィス溝に設けられた前記第１ゴム弁（24）の膨出部（52）の幅方向の一端部と、他方の嵌合周壁（36）の外周面に設けられた周方向に延びるゴム製の環状シールリップ（88）の側部とに連なるゴム製のシールリップ（92）が、前記第１オリフィス形成部の外周面に形成され、
前記第２オリフィス形成部（46）には、軸方向中央部に前記嵌合凹部（54）が設けられ、該嵌合凹部の両側に前記第２副オリフィス溝（56,56）が設けられ、
一方の前記第２副オリフィス溝に設けられた前記第２ゴム弁（28）の膨出部（52）の幅方向の一端部と、一方の嵌合周壁（34）の外周面に設けられた周方向に延びるゴム製の環状シールリップ（88）の側部とに連なるゴム製のシールリップ（94）が、前記第２オリフィス形成部の外周面に形成され、他方の前記第２副オリフィス溝に設けられた前記第２ゴム弁（28）の膨出部（52）の幅方向の一端部と、他方の嵌合周壁（36）の外周面に設けられた周方向に延びるゴム製の環状シールリップ（88）の側部とに連なるゴム製のシールリップ（96）が、前記第２オリフィス形成部の外周面に形成されたことを特徴とする請求項１記載の液封入式防振装置。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
本発明は、ゴム弁を備える副オリフィスを設けた液封入式防振装置において、ゴム弁が閉じているときに、ゴム弁の幅方向外方側を、液体が副オリフィスに沿う方向に流通することで、ゴム弁の両側の副オリフィス部分が連通状態になる不具合を解消することができる液封入式防振装置を提供することを目的とする。
【手続補正５】
【補正対象書類名】明細書
【補正対象項目名】０００７
【補正方法】変更
【補正の内容】
【０００７】
本発明に係る液封入式防振装置は、内筒と、該内筒を軸平行に取り囲む外筒と、これら内筒と外筒の間に介在するゴム状弾性体からなる防振基体と、内筒と外筒の間に位置する中間筒と、内筒を挟んで位置する第１液室及び第２液室と、これら第１液室と第２液室を連通させる主オリフィスと、第１ゴム弁を介して第１液室側から第２液室側にだけ液体を流通させる第１副オリフィスと、第２ゴム弁を介して第２液室側から第１液室側にだけ液体を流通させる第２副オリフィスと、を備えてなる。そして、前記中間筒は、外筒が嵌合する軸方向両端部側の一対のリング状の嵌合周壁と、内筒を挟んで位置するとともに前記嵌合周壁よりも径方向内方側に位置して前記一対の嵌合周壁同士を連結する一対の連結壁とを備え、前記防振基体は、前記一対の連結壁の内側面と当該内側面に対向する内筒の外周面とを結合して、第１液室と第２液室とを周方向に区画しており、前記一対の嵌合周壁と内筒との間にゴム状弾性体からなる端部壁が設けられて、該端部壁が第１液室と第２液室の軸方向端部での室壁を形成している。また、一方の連結壁の外面側に外筒の内周面に圧接する第１オリフィス形成部が設けられ、他方の連結壁の外面側に外筒の内周面に圧接する第２オリフィス形成部が設けられている。そして、これら第１オリフィス形成部と第２オリフィス形成部の少なくとも一方には周方向に延びる第１副オリフィス溝が設けられて、該第１副オリフィス溝と外筒の内周面との間で前記第１副オリフィスが形成されるとともに、第１副オリフィス溝にゴム膜状の前記第１ゴム弁が設けられて、該第１ゴム弁の頂部が外筒の内周面に圧接するように構成されている。また、前記第１オリフィス形成部と第２オリフィス形成部の少なくとも一方には周方向に延びる第２副オリフィス溝が設けられて、該第２副オリフィス溝と外筒の内周面との間で前記第２副オリフィスが形成されるとともに、第２副オリフィス溝にゴム膜状の前記第２ゴム弁が設けられて、該第２ゴム弁の頂部が外筒の内周面に圧接するように構成されている。第１ゴム弁と第２ゴム弁の頂部には、外筒の内周面に圧接する断面円弧状の膨出部が該頂部の全幅にわたってそれぞれ形成されている。そして、前記第１オリフィス形成部には、軸方向中央部に周方向に延びる嵌合凹部が設けられ、該嵌合凹部の両側の少なくとも一方側に前記第１副オリフィス溝が設けられ、該第１副オリフィス溝に設けられた前記第１ゴム弁の膨出部の幅方向の一端部と、前記嵌合周壁の外周面に設けられた周方向に延びるゴム製の環状シールリップの側部とに連なるゴム製のシールリップが、第１オリフィス形成部の外周面に形成されている。また、前記第２オリフィス形成部には、軸方向中央部に周方向に延びる嵌合凹部が設けられ、該嵌合凹部の両側の少なくとも一方側に前記第２副オリフィス溝が設けられ、該第２副オリフィス溝に設けられた前記第２ゴム弁の膨出部の幅方向の一端部と、前記嵌合周壁の外周面に設けられた周方向に延びるゴム製の環状シールリップの側部とに連なるゴム製のシールリップが、前記第２オリフィス形成部の外周面に形成されている。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１６
【補正方法】変更
【補正の内容】
【００１６】
本発明の液封入式防振装置であると、ゴム弁を備える副オリフィスを設けた液封入式防振装置において、ゴム弁が閉じているときに、該ゴム弁の両側の副オリフィス部分が連通状態になる不具合を解消することができる。